(57)【特許請求の範囲】
【請求項１】
ハンドルの回転に連動して前後に往復動するスプール軸の前部に支持されたスプールに制動力を付与するドラグ機構と、
このドラグ機構によって設定された制動力がスプールに作用するドラグ作動状態とスプールフリー回転状態に夫々切換える切換機構と、
前記スプールフリー回転状態にある切換機構を、ハンドルの釣糸巻取り方向の回転によってドラグ作動状態に切換える復帰機構と、を有する魚釣用スピニングリールにおいて、
前記復帰機構は、前記切換機構の操作部と係合する第一係合部と、ハンドルの回転操作と共に一体回転するキック部と係合する第二係合部とを有する復帰作動体を備えており、
この復帰作動体は、前記切換機構のスプールフリー回転状態におけるハンドル逆回転時に、第二係合部のみが独立して移動可能に構成されていることを特徴とする魚釣用スピニングリール。
【発明の詳細な説明】
【０００１】
【発明の属する技術分野】
本発明は、釣糸が巻回されるスプールに作用するドラグ力をＯＮ／ＯＦＦに切換える切換機構を組み込んだ魚釣用スピニングリールに関する。
【０００２】
【従来の技術】
魚釣用スピニングリールの一つの形態として、スプールに作用するドラグ力をＯＮ／ＯＦＦに切換える切換機構（クラッチ機構）を組み込んだ構成がある。このような形態のスピニングリールは、餌に食いついた際に、釣糸の負荷が加わると餌を吐き出してしまうような魚を対象魚とする場合に効果的である。すなわち、ドラグ力をＯＦＦ状態にしておくことで、餌に食いついた際の釣糸の負荷を無くし、これにより、食い込みを確実にすると共に、魚を自由に走らせて口切れを効果的に防止することができる。
【０００３】
上記したクラッチ機構を組み込んだスピニングリールとして、例えば、特開平７−１１５８８２号には、スプール軸の先端に第１ドラグ機構（フロントドラグ機構）を設けると共に、スプール軸と平行で、かつスプール軸とギヤを介して一体回転可能に配設された連動軸の後端部に第２ドラグ機構（サブドラグ機構）を設けた構成が開示されている。
【０００４】
このスピニングリールでは、連動軸に係止歯車を設け、この係止歯車にクラッチ機構の作動部材を係合／非係合させることで、ドラグ力をＯＮ／ＯＦＦに切換えるように構成されている。すなわち、作動部材を係止歯車に非係合状態（クラッチＯＦＦ）とすることで、スプール軸をフリー回転状態として第１ドラグ機構のドラグ力が作用しないようにし、作動部材を係止歯車に係合状態（クラッチＯＮ）とすることで、スプール軸を非回転状態として第１ドラグ機構のドラグ力が作用するようにしている。なお、第２ドラグ機構は、スプール軸がフリー回転状態となったときに、スプール軸に対して制動力を与え、スプールの過回転によるバックラッシュを防止する機能を果たしている。
【０００５】
上記したクラッチ機構は、クラッチ切換えレバーを操作することによってクラッチのＯＮ／ＯＦＦが切換えられると共に、ハンドル軸に取り付けられた駆動ギヤに復帰機構を設け、ハンドルを釣糸巻取り方向に回転した際に、クラッチ機構を自動的にＯＦＦからＯＮに復帰させるように構成されている。
【０００６】
この場合、復帰機構は、駆動ギヤと一体回転するように設けられ、かつキック部を有するクラッチ復帰体と、クラッチ切換えレバーを回動させるための復帰作動体とを備えており、ハンドルを釣糸巻取り方向に回転した際、駆動ギヤと共に回転するクラッチ復帰体のキック部が、その回転軌跡内に位置する復帰作動体を押圧、回動させることで、クラッチ切換えレバーをＯＮ状態に復帰させるように構成されている。
【０００７】
【発明が解決しようとする課題】
ところで、上記した構成のスピニングリールにおいて、クラッチがＯＦＦの状態で、例えばロータに設けられている釣糸案内体の位置を調整するためにハンドルを釣糸繰出し方向に回転させる（逆回転させる）場合がある。
【０００８】
上記したように、クラッチ復帰体は、駆動ギヤが回転した際に、その回転軌跡内に位置する復帰作動体を押圧、回動させる構成のため、ハンドルを釣糸繰出し方向に回転した際、復帰作動体を逆方向に押圧、回動させることとなる。この場合、ハンドルの逆回転を阻害するのを回避すべく、復帰作動体は、切換作動方向および逆方向にフリーに回動できるように構成する必要があるが、復帰作動体全体が回動できるための広いスペースが必要となってしまい、リール本体が大型化するという問題が生じる。なお、上記した公知例のスピニングリールでは、復帰作動体を逆方向にフリーに回動させるだけのスペースは設けられておらず、クラッチＯＦＦ状態でハンドルを逆回転させることができない構成になっている。
【０００９】
また、復帰作動体は、一部品で構成されているため、キック部、復帰作動体、および復帰作動体と係合するクラッチ切換レバーの切換機構操作部の位置が必然的に決められてしまい、この結果、リール本体内部のレイアウトに自由度が無くなって、作動性を向上させることが困難になっている。
【００１０】
この発明は、上記の問題に基づいてなされたものであり、ドラグ力をＯＮ／ＯＦＦに切換えるクラッチ機構を組み込んだ魚釣用スピニングリールにおいて、リール本体の小型化を図ると共に、クラッチをＯＦＦからＯＮに復帰させる復帰機構を合理的に組み込める構成を提供することを目的としている。
【００１１】
【課題を解決するための手段】
上記課題を解決するために、本発明の魚釣用スピニングリールは、ハンドルの回転に連動して前後に往復動するスプール軸の前部に支持されたスプールに制動力を付与するドラグ機構と、このドラグ機構によって設定された制動力がスプールに作用するドラグ作動状態とスプールフリー回転状態に夫々切換える切換機構と、前記スプールフリー回転状態にある切換機構を、ハンドルの釣糸巻取り方向の回転によってドラグ作動状態に切換える復帰機構と、を有しており、前記復帰機構は、前記切換機構の操作部と係合する第一係合部と、ハンドルの回転操作と共に一体回転するキック部と係合する第二係合部とを有する復帰作動体を備えており、この復帰作動体は、前記切換機構のスプールフリー回転状態におけるハンドル逆回転時に、第二係合部のみが独立して移動可能に構成されていることを特徴とする。
【００１２】
上記した構成によれば、切換機構がスプールフリー回転状態となっているときに、ハンドルを逆回転（釣糸繰出し方向への回転）させると、キック部は復帰作動体の第二係合部と当接する。このとき、第二係合部は、復帰作動体の第一係合部とは独立して移動するため、第一係合部が移動するためのスペースを設ける必要がなくなる。
【００１３】
【発明の実施の形態】
以下、本発明に係る魚釣用スピニングリールの一実施の形態を添付図面に沿って具体的に説明する。
【００１４】
図１および図２に示すように、魚釣用スピニングリール１は、釣竿に装着するための脚部２ａが形成されたリール本体２と、リール本体前方に回転可能に配されたロータ３と、ロータ３の回転運動と同期して前後方向に往復動可能に配されたスプール５とを有している。
【００１５】
リール本体２内には、ハンドル軸７が回転可能に支持されており、その突出端部には、ハンドル（図示せず）が取り付けられている。ハンドル軸７には、内歯が形成された駆動ギヤ９が取り付けられており、この駆動ギヤ９には、ハンドル軸７と直交する方向に延出すると共に、内部に軸方向に延出する空洞部が形成されたピニオン１０が噛合している。このピニオン１０は、軸受を介して回転可能に支持されており、その空洞部には、ハンドル軸７と直交する方向に延出し、先端側にスプール５を取り付けたスプール軸１１が、軸方向に移動可能で回転可能に挿通、支持されている。
【００１６】
前記ピニオン１０には、スプール軸１１を前後動させるように、スプール軸と平行に延出するウオームシャフト１２を備えたオシレーティング機構が係合している。ウオームシャフト１２は、リール本体内に回転可能に支持されており、その外周面には螺旋溝１２ａが形成されている。一方、前記スプール軸１１の後端部には、スプール軸と一体的に前後動し、かつスプール軸を回転可能に保持するスライダ１３が取り付けられている。このスライダ１３には、前記螺旋溝１２ａと係合する係合子１５ａを備えると共に、ウオームシャフト１２と平行に配されたガイドシャフト１６が挿通する案内体１８が設けられている。
【００１７】
そして、ウオームシャフト１２の端部には、前記ピニオン１０と噛合するウオームギヤ（図示せず）が取り付けられており、ウオームシャフト１２がピニオン１０とウオームギヤを介して回転駆動されることで、係合子１５ａは螺旋溝１２ａ内に案内され、案内体１８は、ガイドシャフト１６によって回り止めされて往復動される。この結果、スプール軸１１は、往復動される案内体１８及びスライダ１３を介して前後方向に往復動される。
【００１８】
前記ピニオン１０はスプール側に向けて延出しており、その先端部には前記ロータ３が取り付けられている。ロータ３には、スプール５の回りを回転する一対の腕部３ａが設けられており、この一対の腕部３ａの夫々の前端部には、ベール３ｂの基端部を取り付けたベール支持部材３ｃが、釣糸巻取り位置と釣糸放出位置との間で回動自在に支持されている。なお、ベール３ｂの一方の基端部は、ベール支持部材３ｃに一体的に設けられた釣糸案内体（図示せず）に取り付けられている。
【００１９】
前記スプール５は、釣糸が巻回される巻回胴部５ａを備えており、前記スプール軸１１の先端側に取り付けられている。この場合、スプール軸１１とスプール５との間には、公知のドラグ機構（第１ドラグ機構）が設けられており、ドラグノブ２０を回転操作することでドラグ力が調整されるようになっている。
【００２０】
そして、このドラグ機構によるドラグ力は、クラッチ機構（切換機構）によって、ＯＮ／ＯＦＦ状態に切換えられるようになっている。以下、本実施の形態に係るスピニングリールに設けられているクラッチ機構の構成を、図２乃至図４を参照して説明する。
【００２１】
回転可能に支持されたスプール軸１１には、軸方向への移動が規制されると共に、スプール軸１１と一体的に回転する伝動歯車２２が取り付けられており、この伝動歯車２２には、スプール軸１１の上方側において、スプール軸と平行で回転可能に支持された連動軸２３のスプール側端部に取り付けられた従動歯車２５が噛合している。また、連動軸２３の中間部分には、ラチェット（爪車）２７が取り付けられており、ここに係合爪（ストッパ）２８が係脱可能になっている。この場合、係合爪２８は、リール本体内のフレームに支軸２８ａを介して回動可能に支持されており、付勢バネ２９を介して、常時、時計回り方向に付勢された状態にある。また、係合爪２８には、突起２８ｂが形成されており、この突起に後述するクラッチレバーの支持板に形成された係合部が係合するようになっている。
【００２２】
前記リール本体２の外部には、クラッチ機構のＯＮ／ＯＦＦを切換えるためのクラッチレバー（操作部）３０が突出している。このクラッチレバー３０の基端側には、リール本体内に位置する支持板３１が形成されており、クラッチレバー３０は、支軸３１ａを介して回動可能となっている。支持板３１の端部には、リール本体のフレームとの間で振り分け保持バネ３３が取り付けられており、クラッチレバー３０を図３に示すクラッチＯＮ位置と、図４に示すクラッチＯＦＦ位置に振り分け保持するようになっている。
【００２３】
前記支持板３１には、図３に示す状態から、クラッチレバー３０が図４に示す状態に回動された際、前記係合爪２８の突起２８ｂと係合する係合部３１ｂが形成されている。この構成により、係合爪２８は、付勢バネ２９によってラチェット２７と係合状態にあるが、クラッチレバー３０を図４に示すように回動操作することで係合状態が外れ、連動軸２３はフリー回転可能状態になる。
【００２４】
連動軸２３がフリー回転可能状態になることで、従動歯車２５及び伝動歯車２２を介して連動関係にあるスプール軸１１もフリー回転可能状態となり、魚が掛かって釣糸が繰出されても前記ドラグ機構によるドラグ力が作用しない状態（クラッチＯＦＦ）となる。
【００２５】
これに対して、クラッチレバー３０を図４に示す位置から図３に示す位置に回動操作することで、係合部３１ｂは突起２８ｂから離れ、係合爪２８は、付勢バネ２９によってラチェット２７と係合状態となり、連動軸２３及びスプール軸１１は回転不能状態になる。すなわち、スプール軸１１が固定状態となるため、ドラグ機構を介して取り付けられたスプール５には、ドラグノブの回転操作による所定のドラグ力が作用する状態（クラッチＯＮ）となる。
【００２６】
上述したクラッチ機構は、復帰機構によって、クラッチＯＦＦ状態において、ハンドルを巻取り操作することで、自動的にクラッチＯＮ状態に復帰するように構成されている。
【００２７】
ここで、復帰機構の構成を、図２乃至図６を参照して具体的に説明する。
上述したハンドル軸７には、図５に示すように、駆動ギヤ９の内歯と反対面にクラッチ復帰体５０が、駆動ギヤ９と一体的に回転するように回り止め固定されている。クラッチ復帰体５０は、リテーナ５０ａによって抜け止めされていると共に、径方向に延出する３本の腕部（キック部）５１を備えており、各腕部の先端は駆動ギヤ９の外周と略一致している。
【００２８】
また、１本の腕部５１と駆動ギヤ９の表面との間には、引張バネ５３が取り付けられており、各腕部は、図中、反時計回りに付勢されている。なお、駆動ギヤ９の表面には、ボス５５が形成されており、反時計回りに付勢されている腕部が当接して、その回動付勢状態を規制している。
【００２９】
一方、リール本体内のフレームには、支軸６０を介して、復帰作動体６１が回動可能に取り付けられている。この復帰作動体は、支軸を中心として回動可能に保持された第一係合部６２と、支軸を中心として、第一後係合部６２と独立して移動（回動）できるように保持された第二係合部６５とを備えている。
【００３０】
第一係合部６２は、付勢バネ６２ａによって、図５において時計回り方向に回動付勢されている。この場合、第一係合部６２には、位置規制ピン６２ｂが形成されており、これがリール本体のフレームに当て付くことで、その回動が規制されている。また、第一係合部６２には、クラッチレバー３０と一体的に回動可能に形成されたカム３０ｃが係合可能となっており、クラッチレバー３０が図５に示すクラッチＯＮ状態から、図４に示すクラッチＯＦＦ状態に回動操作された際に、カム３０ｃは、時計回り方向に回動して第一係合部６２に当て付き、第一係合部６２を付勢バネ６２ａの付勢力に抗して反時計回りに回動させる。
【００３１】
また、第二係合部６５は、付勢バネ６５ａによって、常時、前記第一係合部６２に形成された位置規制ピン６２ｂに当て付けられていると共に、図４に示すように、クラッチＯＦＦ状態において、カム３０ｃと当接する第一係合部６２及び位置規制ピン６２ｂによって、前記クラッチ復帰体５０の腕部５１の回転軌跡内に位置するようになっている。
【００３２】
この結果、クラッチＯＦＦ状態において、ハンドルを巻取り操作すると、クラッチ復帰体５０のいずれかの腕部５１が第二係合部６５を押圧して、クラッチレバー３０は、クラッチＯＮ状態に自動的に復帰するようになる。
【００３３】
また、本実施の形態の魚釣用スピニングリールは、図２に示すように、前記連動軸２３の後端部に、補助ドラグ機構（第２ドラグ機構）７０が取り付けられている。
【００３４】
この補助ドラグ機構７０は、連動軸２３及びリール本体のフレーム間に配設される複数枚のワッシャ７１と、各ワッシャ間に介在される摩擦板７２とを備えており、リール本体から露出するノブ７５を回動操作することで、その内部に設けられた押圧体７７が軸方向に移動して摩擦板に所定の押圧力を加え、連動軸２３の回転に所定の制動力を付与するようになっている。
【００３５】
このような補助ドラグ機構７０を設けておけば、スプールが過回転することによって生じるバックラッシュを効果的に防止することが可能となる。すなわち、クラッチ機構をＯＦＦにすることで、スプール軸１１はフリー回転状態となり、このような状態で、餌に食いついて走り回っている魚が停止すると、スプールが過回転してバックラッシュが発生する。しかし、スプール軸と一体回転する連動軸２３に所定の制動力を加えておくことで、過回転を抑制することができ、バックラッシュの発生を防止することができる。
【００３６】
次に、以上のように構成された本実施の形態の魚釣用スピニングリールの作用について説明する。
仕掛けを投入した状態において、ドラグ力をＯＦＦにする場合、クラッチレバー３０を図３に示す状態（クラッチＯＮ）から、図４に示す状態（クラッチＯＦＦ）に回動操作する。このクラッチレバー３０の回動操作によって、リール本体内に延出する支持板３１に形成された係合部３１ｂは、時計回り方向に回動し、係合爪２８の突起２８ｂと係合する。これにより、突起２８ｂは、付勢バネ２９の付勢力に抗して支軸２８ａを中心として反時計回り方向に回動され、係合爪２８はラチェット２７から離脱し、連動軸２３及びスプール軸１１は、フリー回転可能状態になる。この結果、スプール軸に第１ドラグ機構を介して取り付けられているスプール５には、第１ドラグ機構によるドラグ力が作用しなくなる。
【００３７】
なお、フリー回転状態にある連動軸２３に対して、第２ドラグ機構７０によって所定のドラグ力を付与しておくことで、スプール５の過回転を抑制することができ、バックラッシュを防止することが可能になる。
【００３８】
そして、この状態で、クラッチレバー３０を図４に示す状態から、図３に示す状態に復帰操作することで、再び係合爪２８は、付勢バネ２９の付勢力によってラチェット２７と係合する。これによって、連動軸２３及びスプール軸１１の回転は阻止されるため、スプール５には、第１ドラグ機構によるドラグ力が作用するようになる。
【００３９】
また、クラッチ機構は、上述した復帰機構によって、図示しないハンドルを巻取り駆動することで、クラッチＯＦＦからクラッチＯＮへ自動的に復帰させることが可能となっている。
【００４０】
すなわち、図５に示したクラッチＯＮ状態から、クラッチレバー３０をＯＦＦにすべく、回動操作すると、カム３０ｃが時計回り方向に回動され、図７に示すように、カム３０ｃは、復帰作動体６１の第一係合部６２に当て付いて、第一係合部６２を付勢バネ６２ａの付勢力に抗して反時計回り方向に回動させる。このとき、位置規制ピン６２ｂも一体的に反時計回り方向に回動することから、それに当接、付勢されている第二係合部６５も反時計回り方向に回動され、図７に示すように、クラッチＯＦＦ状態で、クラッチ復帰体５０の腕部５１の回転軌跡内に侵入する。
【００４１】
そして、この状態でハンドルを巻取り駆動すると、第二係合部６５は、駆動ギヤ９と共に一体回転する腕部５１によって押圧される。このとき、腕部５１は付勢バネ５３の引張力に抗して時計回り方向の力を受けて、時計回り方向に回動しながら、第二係合部６５を時計回り方向に回動させる（図８参照）。
【００４２】
第二係合部６５が時計回り方向に回動すると、位置規制ピン６２ｂを介して第一係合部６２も時計回り方向に回動され、カム３０ｃを反時計回り方向に回動させる。そして、クラッチレバー３０は、振り分け保持バネ３３のデッドポイントを通過して、図５に示す状態に自動復帰される。なお、腕部５１は、付勢バネ５３によって反時計回り方向に回動し、ボス５５に当て付いて初期状態に戻る。また、第二係合部６５は、位置規制ピン６２ｂがフレームに当て付くことで、その回動が規制される。
【００４３】
上記したような復帰機構の復帰作動体６１の構成によれば、以下のような効果が得られる。
クラッチがＯＦＦ状態になっているときに、ロータの位置、具体的には釣糸案内体の位置を変えたい場合がある。例えば、釣糸案内体が最下方に位置するとサミング操作がし難くなるため、ロータを半回転させて釣糸案内体をサミング操作し易い位置に合わせたい場合等がある。このような場合、ハンドルを釣糸巻取り方向に回転操作すると、クラッチ復帰体５０の腕部５１が第二係合部６５を押圧して、クラッチ機構がＯＮになってしまうため、ハンドルを釣糸繰出し方向に回転させる（逆回転させる）必然性が生じる。
【００４４】
ハンドルを逆回転すると、クラッチ復帰体５０の腕部５１は、図９に示すように時計回り方向に回転し、復帰作動体６１の第二係合部６５に当接し、第二係合部６５を図１０に示すように反時計回り方向に回動させようとする。
【００４５】
ところで、上述したように、第二係合部６５は、第一係合部６２と独立して移動可能になっているため、第二係合部６５が回動力を受けても第一係合部６２は何等移動することはない。
【００４６】
すなわち、従来では、復帰作動体を単一の部材で構成していることから、上記したようなハンドルを逆回転した際の、復帰作動体のための移動スペースが必要となっていたが、上記したように復帰作動体を独立して移動可能な第一係合部および第二係合部で構成したことにより、第二係合部のみが単独で移動できることから、復帰作動体のための移動スペースが不要となって、リール本体をコンパクト化することが可能になる。
【００４７】
また、復帰作動体６１の第一係合部６２と第二係合部６５を別部品で構成したことにより、レイアウトの自由度が増し、復帰作動体を、配置スペースを選ぶことなく組み込むことが可能となる。すなわち、復帰作動体の作動に最適な位置に各部品を配置することが可能となる。
【００４８】
以上、本発明の実施の形態について説明したが、上述した魚釣用スピニングリールの構成は、一例を示したに過ぎず、種々変形することが可能である。例えば、第１ドラグ機構は、スプール軸の後端位置に設けたリヤドラグ方式にしても良い。また、第２ドラグ機構は、その配置個所、構成については、適宜変形することもでき、場合によっては削除しても良い。さらに、スプール軸の回転を停止状態、回転可能状態に切換える手段については、上記したような連動軸を設けることなく構成しても良い。
【００４９】
【発明の効果】
以上、本発明によれば、ドラグ力をＯＮ／ＯＦＦに切換えるクラッチ機構を組み込んだ魚釣用スピニングリールにおいて、ドラグ力をＯＦＦからＯＮに自動復帰させる復帰機構の復帰作動体を相互に独立して駆動される部材で構成したことによって、リール本体の小型化が図れると共に、復帰機構を合理的に組み込めるようになる。
【図面の簡単な説明】
【図１】本発明に係る魚釣用スピニングリールの一実施の形態を示す図であり、その内部構造を示した部分断面図。
【図２】図１に示す魚釣用スピニングリールのリール本体内の拡大図（クラッチＯＮ状態）。
【図３】クラッチＯＮ状態を示すリール本体内の拡大図であり、ラチェットと係合爪の部分を示す図。
【図４】図３に示す状態から、クラッチをＯＦＦにした状態を示すリール本体内の拡大図。
【図５】クラッチの復帰機構の構成を示すリール本体内の拡大図。
【図６】図５のＡ−Ａ線に沿った断面図。
【図７】クラッチの自動復帰状態を示す図。
【図８】図７の続きを示し、クラッチの自動復帰状態を示す図。
【図９】クラッチＯＦＦ状態において、ハンドルを釣糸繰出し方向に回転する状態を示す図。
【図１０】図９の続きを示し、ハンドルを釣糸繰出し方向に回転する状態を示す図。
【符号の説明】
１  魚釣用スピニングリール
２  リール本体
５  スプール
１１  スプール軸
２３  連動軸
３０  クラッチレバー
５０  クラッチ復帰体
５１  腕部（キック部）
６１  復帰作動体
６２  第一係合部
６５  第二係合部
【図１】
0003827517.tif 000002
【図２】
0003827517.tif 000003
【図３】
0003827517.tif 000004
【図４】
0003827517.tif 000005
【図５】
0003827517.tif 000006
【図６】
0003827517.tif 000007
【図７】
0003827517.tif 000008
【図８】
0003827517.tif 000009
【図９】
0003827517.tif 000010
【図１０】
0003827517.tif 000011